(57)【要約】【課題】軸の端部に固定されて軸とともに回転するプーリであって、ベルト係合部の両側にフランジを設けたプーリにおいて、プーリ作動時にフランジが脱落しにくく、ベルト交換等のメンテナンス時にはフランジを容易に取り外すことができるプーリを提供する。【解決手段】ベルト係合部１５および一方のフランジ１７を設けた本体部品１１と、他方のフランジ２５を設けたフランジ部品２１との組み合わせよりなる。本体部品１１は、軸３１の端部に回り止めされた状態で外挿される。フランジ部品２１は、本体部品１１の端面部に非接着にて組み付けられ、固定ネジ３３により着脱自在に固定される。またフランジ部品２１は、固定ネジ３３を差し通すネジ孔２３を設けた金属円板２２を有し、金属円板２２に一体成形した樹脂部２４に他方のフランジ２５が設けられている。【選択図】図１
0003120386.tif 000002
【実用新案登録請求の範囲】
【請求項１】
軸の端部に固定されて前記軸とともに回転するプーリであって、ベルト係合部の両側にフランジを設けたプーリにおいて、
前記ベルト係合部および一方のフランジを設けた本体部品と、他方のフランジを設けたフランジ部品との組み合わせよりなり、
前記本体部品は、前記軸の端部に回り止めされた状態で外挿され、
前記フランジ部品は、前記本体部品の端面部に非接着にて組み付けられ、固定ネジにより着脱自在に固定されることを特徴とするプーリ。
【請求項２】
請求項１記載のプーリにおいて、
フランジ部品は、固定ネジを差し通すネジ孔を設けた金属円板を有し、前記金属円板に一体成形した樹脂部に他方のフランジが設けられていることを特徴とするプーリ。
【請求項３】
請求項１記載のプーリにおいて、
本体部品は、金属スリーブと、前記金属スリーブに一体成形された樹脂部とを有し、
フランジ部品は、金属円板と、前記金属円板に一体成形された樹脂部とを有し、
前記本体部品の端面部に前記フランジ部品を組み付けたときに前記樹脂部同士が接触して組み合わされることを特徴とするプーリ。
【考案の詳細な説明】
【技術分野】
【０００１】
本考案は、動力伝達要素の一種であるプーリに関するものである。
【背景技術】
【０００２】
従来から、図５に示すように、軸（図示せず）の端部に固定されて軸とともに回転するプーリ５１であって、ベルト係合部５２の両側にフランジ５３を設けたプーリ５１が知られており（特許文献１参照）、プーリ本体およびフランジがともに樹脂部品である場合には、超音波溶着により両者を一体化している。
【０００３】
しかしながら、超音波溶着は、溶着状態が安定しない固定手段であるので、プーリ作動時にフランジが脱落する虞があり、その一方で、ベルト交換等のメンテナンス時にはフランジを取り外すことができないので、プーリ全体を取り外さなければならず、よって作業に多大な手間がかかる。
【０００４】
【特許文献１】特開平１０−１３２０６１号公報
【考案の開示】
【考案が解決しようとする課題】
【０００５】
本考案は以上の点に鑑みて、プーリ作動時にフランジが脱落しにくく、ベルト交換等のメンテナンス時にはフランジを容易に取り外すことができるプーリを提供することを目的とする。
【課題を解決するための手段】
【０００６】
上記目的を達成するため、本考案の請求項１によるプーリは、軸の端部に固定されて前記軸とともに回転するプーリであって、ベルト係合部の両側にフランジを設けたプーリにおいて、前記ベルト係合部および一方のフランジを設けた本体部品と、他方のフランジを設けたフランジ部品との組み合わせよりなり、前記本体部品は、前記軸の端部に回り止めされた状態で外挿され、前記フランジ部品は、前記本体部品の端面部に非接着にて組み付けられ、固定ネジにより着脱自在に固定されることを特徴とする。
【０００７】
また、本考案の請求項２によるプーリは、上記した請求項１記載のプーリにおいて、フランジ部品は、固定ネジを差し通すネジ孔を設けた金属円板を有し、前記金属円板に一体成形した樹脂部に他方のフランジが設けられていることを特徴とする。
【０００８】
また、本考案の請求項３によるプーリは、上記した請求項１記載のプーリにおいて、本体部品は、金属スリーブと、前記金属スリーブに一体成形された樹脂部とを有し、フランジ部品は、金属円板と、前記金属円板に一体成形された樹脂部とを有し、前記本体部品の端面部に前記フランジ部品を組み付けたときに前記樹脂部同士が接触して組み合わされることを特徴とする。
【考案の効果】
【０００９】
本考案は、以下の効果を奏する。
【００１０】
すなわち、上記構成を備えた本考案の請求項１によるプーリにおいては、他方のフランジを設けたフランジ部品が超音波溶着ではなく固定ネジにより固定されることから、固定状態が不安定となることがない強固な固定構造が実現される。したがって、プーリ作動時にフランジが脱落しにくいものとなる。またその一方で、フランジ部品が着脱自在に固定されることから、ベルト交換等のメンテナンス時にはフランジを容易に取り外すことができる。したがって以上のことから、本考案所期の目的どおり、プーリ作動時にフランジが脱落しにくく、ベルト交換等のメンテナンス時にはフランジを容易に取り外すことができるプーリを提供することができる。
【００１１】
また、請求項２に記載したように、フランジ部品に金属円板を設けて、この金属円板にネジ孔を設け、このネジ孔に固定ネジを差し通すようにすると、ネジ込みトルクを樹脂ではなく金属が受けることになる。したがって、固定ネジを強く締め込んでも部品が破損することがなく、よって強く締め込むことができることから、この点からも強固な固定構造を実現することができる。
【００１２】
また、請求項３に記載したように、本体部品の端面部にフランジ部品を組み付けたときに本体部品とフランジ部品の樹脂部同士が接触して組み合わされるようにすると、プーリ作動時に異音が発生するのを抑えることが可能となる。すなわち比較例として、大径の金属フランジでネジ止めすると、プーリ本体が樹脂、フランジが金属となって、摩擦係数の差で異音が発生し易くなるが、樹脂部同士であると摩擦係数の差がないことから、異音が発生しにくくなる。
【考案を実施するための最良の形態】
【００１３】
本考案には、以下の実施形態が含まれる。
すなわち、本体の片側のフランジは一体にプラスチックで成形し、もう片方のフランジは小径の金属円板の外周の一部または全面をプラスチックにて成形する。金属円板は中心にネジ孔があり、本体プーリにネジ止めにより固定する。
【実施例】
【００１４】
つぎに本考案の実施例を図面にしたがって説明する。
【００１５】
図１は、本考案の実施例に係るプーリ１の装着状態の断面図を示している。また、図２および図３は、その一方の構成要素である本体部品１１を単品状態で示しており、図４は他方の構成要素であるフランジ部品２１を同じく単品状態で示している。
【００１６】
当該実施例に係るプーリ１は、軸３１の端部に固定されて軸３１とともに回転するものであって、無端ベルトを巻架するベルト係合部１５と、その両側に設けられたベルト外れ防止用のフランジ１７，２５とを有しており、更に以下のように構成されている。
【００１７】
すなわち、当該プーリ１は、ベルト係合部１５および一方のフランジ１７を設けた本体部品１１と、他方のフランジ２５を設けたフランジ部品２１との組み合わせにより構成されている。
【００１８】
図２および図３に示すように、本体部品１１は、金属スリーブ１２の外周に環状の樹脂部１４を一体成形したものであって、樹脂部１４の外周部に、多数の歯１６をもつベルト係合部１５と、一方のフランジ１７とが設けられている。金属スリーブ１２の内周部には、軸３１との回り止めをなすため、二面幅部１３が設けられており、また金属スリーブ１２の外周部は、樹脂部１４との接合を強固にしてトルク伝達を一層確実にするため、これを軸方向から見て六角形状に形成されている。また、樹脂部１４において、フランジ１７を設けたのとは反対側の端面には、ここにフランジ部品２１を組み付けるときの位置決めとするため、環状の溝部１８と、円周上一箇所の凹部１９とが設けられている。
【００１９】
図４に示すように、フランジ部品２１は、金属円板２２の外周に環状の樹脂部２４を一体成形したものであって、この樹脂部２４の外周部に、他方のフランジ２５が設けられている。金属円板２２の中心部には、固定ネジ３３を差し通すための小径のネジ孔２３が設けられている。また、樹脂部２４の本体部品１１側の端面には、上記溝部１８に差し込まれる環状の突起２６と、上記凹部１９に差し込まれる円周上一箇所の凸部２７とが設けられている。
【００２０】
図１に示したように、本体部品１１は、軸３１の端部に回り止めされた状態で外挿される。フランジ部品２１は、本体部品１１の端面部に非接着にて組み付けられ、固定ネジ３３により着脱自在に固定される。固定ネジ３３は、金属円板２２に設けたネジ孔２３に差し込まれ、軸３１の端面に設けた雌ネジ孔３２にねじ込み固定される。また、このように本体部品１１の端面部にフランジ部品２１を組み付けると、樹脂部１４，２４同士が接触して組み合わされる。
【００２１】
上記構成のプーリ１は例えば、自動ドア装置の駆動系動力伝達部に用いられるものであって、以下の手順にて軸３１に装着される。
【００２２】
すなわち先ず、本体部品１１を単独で軸３１に差し込み、次いで、この本体部品１１の端面部にフランジ部品２１を組み付ける。そして、固定ネジ３３をねじ込んで、フランジ部品２１を軸３１および本体部品１１に固定する。本体部品１１は、金属スリーブ１２の二面幅部１３にて軸３１に対して回り止めされる。フランジ部品２１は、固定ネジ３３による固定によって軸３１に対して回り止めされる。固定ネジ３３による固定は、超音波溶着と違って固定状態が不安定となることがないので、強固な固定状態が実現される。
【００２３】
また、ベルト交換等のメンテナンス時には、固定ネジ３３を外して、フランジ部品２１を本体部品１１から取り外せば、ベルトの交換作業等を行なうことができ、本体部品１１を軸３１から取り外す必要はない。
【００２４】
上記プーリ１は、上記構成により以下の作用効果を奏する点に特徴を有している。
【００２５】
すなわち先ず、上記構成のプーリ１においては、他方のフランジ２５を設けたフランジ部品２１が超音波溶着ではなく固定ネジ３３により固定されるため、固定状態が不安定となることがない強固な固定構造が実現されることになる。したがって、プーリ作動時にフランジが脱落するのを防止することができる。またその一方で、フランジ部品２１が着脱自在に固定されることから、ベルト交換等のメンテナンス時にはフランジを容易に取り外すことができる。したがって以上のことから、本考案所期の目的どおり、プーリ作動時にフランジが脱落しにくく、かつベルト交換等のメンテナンス時にはフランジを容易に取り外すことができるプーリ１を提供することができる。
【００２６】
また、フランジ部品２１に金属円板２２を設けて、この金属円板２２にネジ孔２３を設け、このネジ孔２３に固定ネジ３３を差し通すようにしたために、ネジ込みトルクを樹脂ではなく金属が受けることになる。したがって、固定ネジ３３を強く締め込んでも部品が破損することがなく、よって強く締め込むことができることから、この点からも強固な固定構造を実現することができる。
【００２７】
また、本体部品１１の端面部にフランジ部品２１を組み付けたときに両部品１１，２１の樹脂部１４，２４同士が接触して組み合わされるために、異音が発生するのを抑えることができる。これは上記したとおり、樹脂部１４，２４同士に摩擦係数の差がないことから、異音が発生しにくいものである。
【図面の簡単な説明】
【００２８】
【図１】本考案の実施例に係るプーリの軸への装着状態を示す断面図
【図２】本体部品の単品図であって、（Ａ）はその断面図、（Ｂ）はその外側側面図
【図３】同じく本体部品の単品図であって、その内側側面図
【図４】フランジ部品の単品図であって、（Ａ）はその外側側面図、（Ｂ）はその断面図
【図５】従来例に係るプーリの説明図
【符号の説明】
【００２９】
１  プーリ
１１  本体部品
１２  金属スリーブ
１３  二面幅部
１４，２４  樹脂部
１５  ベルト係合部
１６  歯
１７  一方のフランジ
１８  溝部
１９  凹部
２１  フランジ部品
２２  金属円板
２３  ネジ孔
２５  他方のフランジ
２６  突起
２７  凸部
３１  軸
３２  雌ねじ孔
３３  固定ネジ
【図１】
0003120386.tif 000003
【図２】
0003120386.tif 000004
【図３】
0003120386.tif 000005
【図４】
0003120386.tif 000006
【図５】
0003120386.tif 000007